(57)【要約】【課題】メダルが２枚重なった状態でロータリーディスクの各孔に収納し、１方向のみの回転動作でメダルを各払い出しルートへ移送可能とすることにより１ホッパーで２枚メダルを同時移送できるホッパー装置を提供する。【解決手段】ロータリーディスク２１が回転すると、メダル落とし孔にメダルが落下し、ディスク底板３３のメダル誘導溝に堆積する。１つのメダル落とし孔に対し２枚のメダルが積み重ねられる。ロータリーディスク２１の回転により２枚重ねのメダルは誘導溝を移動させられ、誘導ピン３２に突き当たりメダル移送ルートの案内通路に導かれる。各メダル落とし孔に落下したメダルはつぎから次へと案内通路に導かれるため、２枚重ねのメダルは移送ルートを数珠つなぎ状態に押し上げられ、分割板３０で２枚のメダルは分岐させられそれぞれ異なるルートから同時に排出される。【選択図】図３
2010092313.tif 000002
【特許請求の範囲】
【請求項１】
メダルを収容する孔にメダルを落とし、落としたメダルを押してメダル案内通路にメダルを誘導しメダル案内通路中の数珠つなぎ状態のメダルを押し上げることによりメダル案内通路の払い出し口からメダルを払い出すホッパー装置において、
メダル２枚分の深さを有するメダル案内通路を有し、終端部に２枚のメダルを分割移送するための分割板を配置したメダル移送部と、
メダル集積部に設置され、メダル落とし孔を有し、該メダル落とし孔の脇に押しピンを設置した回転板と、
前記回転板の下面とメダルを受ける面との間が略メダル２個分の隙間になるように配置され、誘導ピンを有する底板と、
前記回転板を回転させる駆動源とを備え、
前記回転板の回転により前記メダル集積部に集積されたメダルを前記メダル落とし孔に落とし込み、該メダル落とし孔を通って前記底板に堆積し２枚重ねになったメダルを前記押しピンで回転板の回転方向に移動させ、前記回転板の回転に従って移動させた２枚重ねのメダルを前記誘導ピンに突き当てることにより前記メダル案内通路入り口に２枚重ねのメダルを誘導し、２枚重ねメダル単位で前記メダル案内通路を押し上げ前記メダル案内通路の終端部から２枚のメダルを同時に払い出すことを特徴とするメダル２枚同時払い出し可能なホッパー装置。
【請求項２】
前記回転板は周縁に沿って複数のメダル落とし孔を有する円盤であることを特徴とする請求項１記載のメダル２枚同時払い出し可能なホッパー装置。
【請求項３】
前記メダル案内通路の終端部に分割板を配置し、該分割板で２枚重ねのメダルを上下に分岐させ２枚のメダルをそれぞれ異なる方向に導くことを特徴とする請求項１または２記載のメダル２枚同時払い出し可能なホッパー装置。
【発明の詳細な説明】
【技術分野】
【０００１】
本発明は、従来ホッパーで１枚ずつ移送・払い出されていたメダルを２枚重ねで移送し、かつ２枚同時に払い出し可能なホッパー装置に関する。
【背景技術】
【０００２】
メダルゲーム機では、メダルを払い出すためにメダルを上方に移送するホッパー装置が設置されているのが一般的である。従来のメダルゲーム機におけるホッパー装置はメダル搬送を円滑にするために種々の提案がなさている。
【０００３】
特許文献１は、正転・逆転するロータリーディスクの制御を確実に行い、ホッパー装置本体から直結する移送ルートを２種設置したツインホッパー型メダル投出装置により、円滑なメダル搬送を提案するものである。
これはロータリーディスクと移送ルート機構を各々に設置することにより別ルートへの払い出しを行うものである。
【０００４】
特許文献２は、ホッパー装置を２機並列して配置し、払い出し完了までの時間の短縮と、一方に不具合が生じても、もう一方で払い出しができるので、遊技を中断させずに済むことを提案するものである。
これはホッパー装置を２機並列して配置させることにより、払い出し速度を２倍にするものである。
従来技術では上述のようにプレイヤに払い出されるメダルは１ホッパー装置で１枚ずつ払い出し口まで移送され、且つ１枚ずつ払い出しが行われる形式であった。また、払い出し口を切り替えることにより１つのホッパー装置で別々の払い出し口からメダルを１枚ずつ払い出していた。
【０００５】
特許文献３は、１つのロータリーディスクの回転方向を切り替えて各払い出しルートへメダルを移送することを提案するものである。これによれば１つのロータリーディスクの回転方向を切り替えることにより、ホッパー装置から連結している各払い出しルートへメダルを移送することを提供できる。
【特許文献１】特開２００７−２４１５５１号公報
【特許文献２】特開２００１−１１２９２５号公報
【特許文献３】特開２００２−２２２４４６号公報
【発明の開示】
【発明が解決しようとする課題】
【０００６】
本発明は上記状況に鑑みてなしたもので、その目的は、メダルが２枚重なった状態でロータリーディスクの各孔に収納し、１方向のみの回転動作でメダルを各払い出しルートへ移送可能とすることにより１ホッパーで２枚メダルを同時移送できるホッパー装置を提供することにある。
【課題を解決するための手段】
【０００７】
前記目的を達成するために本発明の請求項１記載の発明は、メダルを収容する孔にメダルを落とし、落としたメダルを押してメダル案内通路にメダルを誘導しメダル案内通路中の数珠つなぎ状態のメダルを押し上げることによりメダル案内通路の払い出し口からメダルを払い出すホッパー装置において、メダル２枚分の深さを有するメダル案内通路を有し、終端部に２枚のメダルを分割移送するための分割板を配置したメダル移送部と、メダル集積部に設置され、メダル落とし孔を有し、該メダル落とし孔の脇に押しピンを設置した回転板と、前記回転板の下面とメダルを受ける面との間が略メダル２個分の隙間になるように配置され、誘導ピンを有する底板と、前記回転板を回転させる駆動源とを備え、前記回転板の回転により前記メダル集積部に集積されたメダルを前記メダル落とし孔に落とし込み、該メダル落とし孔を通って前記底板に堆積し２枚重ねになったメダルを前記押しピンで回転板の回転方向に移動させ、前記回転板の回転に従って移動させた２枚重ねのメダルを前記誘導ピンに突き当てることにより前記メダル案内通路入り口に２枚重ねのメダルを誘導し、２枚重ねメダル単位で前記メダル案内通路を押し上げ前記メダル案内通路の終端部から２枚のメダルを同時に払い出すことを特徴とする。
本発明の請求項２記載の発明は前記請求項１記載の発明において前記回転板は周縁に沿って複数のメダル落とし孔を有する円盤であることを特徴とする。
本発明の請求項３記載の発明は、前記請求項１または２記載の発明において前記メダル案内通路の終端部に分割板を配置し、該分割板で２枚重ねのメダルを上下に分岐させ２枚のメダルをそれぞれ異なる方向に導くことを特徴とする。
【発明の効果】
【０００８】
以上のようにメダル２枚同時に払い出しが可能なように構成されているため、メダル払い出し時間の短縮を実現できる。また効率よく払い出しができ、払い出しの演出を盛り上げることができる。
本発明によれば、従来のホッパー装置内のメダル移送時間を半分に短縮可能で、複数ルートへの払い出しに必要な複数の機構を設置しなくても、２枚分のメダルが格納できるスペースを設けることにより複数機構分の動作・効果を実現できる。
また、本発明は分割板によりメダルを１枚いちまいに分けて払い出し可能であるため、払い出しルートを分岐させることなく１方向に制限することにより、１箇所の払い出し口から２枚同時にメダルを払い出すことも可能である。
【発明を実施するための最良の形態】
【０００９】
以下、図面等を参照して本発明の実施の形態を詳しく説明する。
図１は、本発明によるホッパー装置を用いるメダルゲーム機の外観を示す正面図である。
このメダルゲーム機１はメダルプッシャーゲームであり、パネル前部にメダル投入口２が配置されている。また、筐体上面にチェッカー６，ムービング板８，滑り台５などを配置したプレイエリア７が設置されている。プレイヤがメダル投入口２にメダルを投入すると、カラーメダルがカラーメダル排出口４からチェッカー６に向かって発射される。
【００１０】
チェッカー６の孔に入れば、入賞となりディスプレイ９に入賞によるゲームが表示されて、表示されたゲームを行うこととなる。入らなければ、チェッカー６の背面の壁に当たって跳ね返り、透明のムービング板８の上を手前方向に滑り、ムービング板８の端部から滑り台５に落ち、滑り台５を滑り落ちる。
メダル投入口の脇にメダル置き皿１１が設けられ、このメダル置き皿１１でメダル排出口３から払い出されるメダルを受けるように構成されている。
【００１１】
図２はメダルゲーム機中のホッパー装置の配置例を説明するための図である。この図はホッパー装置が設けられている図１のメダルゲーム機のＡ−Ａ断面図である。
親落ちメダルを受ける受け部１５に落下するメダル１３はメダルガイド１８を通ってメダル集積部１６に集められる。メダル集積部１６の底面はホッパー装置２０のロータリーディスク２１が設置されており、メダル押し出し機構によってメダル移送部３１にメダルが押し出され、メダル移送部３１の端部に配置されているメダル排出口３からメダルが押し出される。押し出し機構は制御装置１４の制御の下、ゲームの進行に基づき作動させられる。
押し出されるメダルは２個の重なったメダルがメダル移送部３１に入ると、メダル排出口３から同じ数のメダルが排出される。
【００１２】
図３は本発明によるホッパー装置の外観を示す斜視図である。
ロータリーディスク２１の上には図示しないメダル集積部１６が配置されている。回転軸２３はロータリーディスク２１の中央に固定されている。回転軸２３は減速ギヤ群を介してモータ２２の出力軸に固定されている。制御装置１４の制御の下にモータ２２が駆動させられると、ギヤ群によってモータ回転速度は減速させられ、ロータリーディスク２１は反時計方向に回転するようになっている。
ロータリーディスク２１は円周に沿ってメダルの外形より若干大きい５個のメダル落とし孔２１ａ〜２１ｅが穿設されている。ロータリーディスク２１の下にディスク底板３３が配置され、ロータリーディスク２１の下面とディスク底板３３のディスク案内溝の間はメダル２個分より若干大きめの隙間となっており、メダル落とし孔２１ａ〜２１ｅより落ちるメダルを２個重ねて収容することができる。ロータリーディスク２１が回転している間に、メダル集積部１６のメダルがかき混ぜられるとともに各メダル落とし孔２１ａ〜２１ｅにメダルが落ち込む。
【００１３】
図４はメダル押し出し機構を説明するための一部断面で示した側面図である。
ロータリーディスク２１の中心は回転軸２３に固定され、回転軸２３の端部はギヤ３６ｄに取り付けられている。制御装置で制御されるモータ２２の出力軸２２ａはギヤ３６ａに固定されている。ギヤ３６ａはギヤ３６ｂに噛合し、ギヤ３６ｂはギヤ３６ｃと軸によって結合し、さらにギヤ３６ｃはギヤ３６ｄに噛合してモータの回転駆動力は減速されて回転軸２３に伝達される。モータ２２は、メダルゲームにボーナスが発生した場合等に回転し、対応の角度量だけ回転して停止することにより、図３に示す払い出し口Ａ（２６）とＢ（２７）にそれぞれ同時にメダルを排出し、所定の数のメダルを払い出すことができる。
【００１４】
ロータリーディスク２１の下面とメダルを受けるためのメダル案内溝３３ａとの間の寸法Ｒはメダルの厚さをＨとすれば、２×Ｈ＋αである。αは２枚のメダルが重なったときメダルＢの上部がロータリーディスク２１の下面に擦らないためのマージンをとった寸法である。ディスク底板３３の右方のメダル案内溝３３ａにメダルＢとＡが重なった状態で堆積した状態が示されている。
【００１５】
図５Ａはロータリーディスクの詳細図である。
ロータリーディスク２１は円周に沿って等間隔で５個のメダル落とし孔２１ａ〜２１ｅが設置され、ロータリ−ディスク２１の下面の各メダル落とし孔の脇に２枚の重なったメダルの側面を押すための押しピン３４ａ〜３４ｅがそれぞれ設けられている。
図５Ｂはディスク底板の詳細図である。
ディスク底板３３はロータリーディスク２１の各メダル落とし孔２１ａ〜２１ｅに落下するメダルを受けるためのメダル案内溝３３ａを備えている。メダル案内溝３３ａは移送ルートの案内底板２４に設けられている案内通路３６に連結されている。
メダル案内溝３３ａの案内通路３６への連結部分の付近に搬送されてくる２枚重ねのメダルを案内通路３６に導くための誘導ピン３２が植設されている。
【００１６】
ロータリーディスク２１が反時計方向に回転すると、２枚重ねのメダルは例えば押しピン３４ａに押されて案内通路３６への連結部に搬送される。搬送されてきた２枚重ねのメダルは１３ａで示すように誘導ピン３２に突き当たり案内通路３６に押し出される。
各メダル落とし孔２１ａ〜２１ｅによってメダル案内溝３３ａに落下したメダルは次からつぎへと誘導ピン３２で誘導されて案内通路３６に導かれるためメダル移送ルートには図３に示すように２枚重ねのメダルが数珠つなぎ状態で上に押し出される。
【００１７】
図６はメダル移送部の終端付近の縦断面図である。
メダル移送部の終端付近の案内通路中に分割板３０を設けている。案内底板２４と案内押さえ板２５の間隔は２枚のメダルの厚さに分割板３０の厚さを加えメダルを移動させるための寸法マージンを加えたものである。分割板３０の先端部３０ａは尖っており、上昇してくる２枚重ねのメダル、すなわちメダルＢとＡを２つの通路にそれぞれ分岐させる。払い出し口を図３に示すように別々の払い出しルートＡ（２８）とＢ（２９）に分けて払い出すことができる。また、分割板３０を設けなければ、１箇所の払い出し口からメダル２枚同時に払い出すことが可能である。
【００１８】
以上の実施の形態は、ロータリーディスクを反時計方向に回転して２枚重ねのメダルをメダル移送部の案内通路に誘導する例を示したが、誘導ピンの位置を変え、押しピン３４をメダル落とし孔２１ａ〜２１ｅの反対側の位置に設け、時計方向に回転させても同様に２枚重ねのメダルをメダル移送部に案内することができる。
【産業上の利用可能性】
【００１９】
イベント会場やゲームセンタに設置されているメダルゲーム機に用いられるホッパー装置である。
【図面の簡単な説明】
【００２０】
【図１】本発明によるホッパー装置を用いるメダルゲーム機の外観を示す正面図である。
【図２】メダルゲーム機中のホッパー装置の配置例を説明するためのメダルゲーム機の断面図である。
【図３】本発明によるホッパー装置の外観を示す斜視図である。
【図４】メダル押し出し機構を説明するためのロータリーディスク部分を一部断面で示した側面図である。
【図５Ａ】ロータリーディスクの詳細図である。
【図５Ｂ】ディスク底板の詳細図である。
【図６】メダル移送部の終端付近の縦断面図である。
【符号の説明】
【００２１】
１  メダルゲーム機
２  メダル投入口
３  メダル排出口
４  カラーメダル排出口
５  滑り台
６  チェッカー
７  プレイエリア
８  ムービング板
９  ディスプレイ
１０  スピーカ
１１  メダル置き皿
１３  メダル
１４  制御装置  
１５  親落ちメダル受け部
１６  メダル集積部
１８  メダルガイド
２０  ホッパー装置
２１  ロータリーディスク
２２  モータ
２３  回転軸
２４  案内底板  
２５  案内押さえ板
２５ａ  窓
２６  払い出し口Ａ
２７  払い出し口Ｂ
２８  払い出しルートＡ
２９  払い出しルートＢ
３０  分割板
３２  誘導ピン
３３  ディスク底板
３３ａ  メダル案内溝
３４  押しピン
３５  モータ
【図１】
2010092313.tif 000003
【図２】
2010092313.tif 000004
【図３】
2010092313.tif 000005
【図４】
2010092313.tif 000006
【図５Ａ】
2010092313.tif 000007
【図５Ｂ】
2010092313.tif 000008
【図６】
2010092313.tif 000009